【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
モバイルエンティティが１組の無線リンク構成を使用して１つまたは複数の基地局と通信することができることを決定することと、
モバイルエンティティから、前記無線リンク構成のうちの少なくとも１つの使用を制限する旨の要求を受信することと、
前記要求に基づいて、前記モバイルエンティティと通信するための前記無線リンク構成のうちの前記少なくとも１つの使用を制限することと
を備える、方法。
【請求項２】
前記無線リンク構成のうちの前記少なくとも１つが非制限であることを要求する第２の要求を前記モバイルエンティティから受信し、その後、前記第２の要求に基づいて、前記モバイルエンティティと通信するための前記無線リンク構成のうちの前記少なくとも１つを使用することをさらに備える、請求項１に記載の方法。
【請求項３】
前記要求が前記使用を制限するための期間を指定し、前記期間が期限切れになるまで、使用の前記制限が実行される、請求項１に記載の方法。
【請求項４】
前記要求が前記無線リンク構成のうちの前記少なくとも１つの前記使用を制限するための理由を示し、前記方法は、前記理由に少なくとも一部基づいて、前記要求に応えるべきかどうかを決定することと、前記モバイルエンティティの前記要求に応えるかどうかを前記決定することの結果を示すことをさらに備える、請求項１に記載の方法。
【請求項５】
前記１組の無線リンク構成が、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つもしくは複数を備える、請求項１に記載の方法。
【請求項６】
前記制限は、前記モバイルエンティティを第１のユーザ機器（ＵＥ）カテゴリから前記第１のＵＥカテゴリよりも低い第２のＵＥカテゴリに制限することである、請求項１に記載の方法。
【請求項７】
ワイヤレス通信のための装置であって、
モバイルエンティティが１組の無線リンク構成を使用して１つまたは複数の基地局と通信することができることを決定するための手段と、
前記モバイルエンティティから、前記無線リンク構成のうちの少なくとも１つの使用を制限する旨の要求を受信するための手段と、
前記要求に基づいて、前記モバイルエンティティと通信するための前記無線リンク構成のうちの前記少なくとも１つの使用を制限するための手段と
を備える、装置。
【請求項８】
ワイヤレス通信のための方法であって、
１組の無線リンク構成を使用して１つまたは複数の基地局と通信することができるモバイルエンティティで、前記無線リンク構成のうちの少なくとも１つの使用が制限されるべきであることを決定することと、
前記無線リンク構成の要素のうちの前記少なくとも１つの使用を制限する旨の要求を基地局に送ることと、
無線リンクを使用して前記基地局と通信することと、ここにおいて、前記要求に基づいて、前記無線リンク構成のうちの前記少なくとも１つの使用が制限されること
を備える、方法。
【請求項９】
前記無線リンク構成のうちの前記少なくとも１つが非制限であることを要求する第２の要求を前記基地局に送り、その後、前記第２の要求に基づいて、前記基地局と通信するための前記無線リンク構成のうちの前記少なくとも１つを使用することをさらに備える、請求項８に記載の方法。
【請求項１０】
前記要求に関連して前記使用を制限するための期間を指定し、無線リンクを使用して前記基地局との前記通信を実行することをさらに備え、ここにおいて、前記期間が期限切れになるまで、前記無線リンク構成のうちの前記少なくとも１つの使用が制限される、請求項８に記載の方法。
【請求項１１】
前記要求に関連して前記無線リンク構成のうちの前記少なくとも１つの前記使用を制限するための理由を含むことと、
前記理由に少なくとも一部基づいて、前記無線リンク構成のうちの少なくとも１つの使用は制限されるべきであることを前記決定することを実行することと、
前記基地局が前記要求に応えているかどうかを示す指示を前記基地局から受信すること
をさらに備える、請求項８に記載の方法。
【請求項１２】
前記１組の無線リンク構成が、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つまたは複数を備える、請求項８に記載の方法。
【請求項１３】
使用を制限する旨の前記要求が、前記モバイルエンティティを第１のユーザ機器（ＵＥ）カテゴリから前記第１のＵＥカテゴリよりも低い第２のＵＥカテゴリに制限することを含む、請求項８に記載の方法。
【請求項１４】
ワイヤレス通信のための装置であって、
１組の無線リンク構成を使用して１つまたは複数の基地局と通信することができるモバイルエンティティで、前記無線リンク構成のうちの少なくとも１つの使用が制限されるべきであることを決定するための手段と、
前記無線リンク構成の要素のうちの前記少なくとも１つの使用を制限する旨の要求を基地局に送るための手段と、
無線リンクを使用して前記基地局と通信するための手段と、ここにおいて、前記要求に基づいて、前記無線リンク構成のうちの前記少なくとも１つの使用が制限されること
を備える、装置。
【請求項１５】
実行されたとき、請求項１乃至６または８乃至１３のうちのいずれか１項に記載の方法を少なくとも１つのコンピュータに実行させるための実行可能な命令を備える、コンピュータプログラム。
【手続補正２】
【補正対象書類名】明細書
【補正対象項目名】００７５
【補正方法】変更
【補正の内容】
【００７５】
[0083]本開示の前述の説明は、いかなる当業者でも本開示を作成または使用することができるように提供される。本開示への様々な修正は当業者には容易に明らかであり、本明細書で定義された一般原理は、本開示の趣旨または範囲から逸脱することなく他の変形形態に適用され得る。したがって、本開示は、本明細書で説明される例および設計に限定されるものではなく、本明細書で開示される原理および新規の特徴に合致する最も広い範囲を与えられるべきである。
以下に、出願当初の特許請求の範囲に記載された発明を付記する。
［Ｃ１］
ワイヤレス通信のための方法であって、
モバイルエンティティが１組の無線リンク構成を使用して１つまたは複数の基地局と通信することができることを決定することと、
モバイルエンティティから、前記無線リンク構成のうちの少なくとも１つの使用を制限する旨の要求を受信することと、
前記要求に基づいて、前記モバイルエンティティと通信するための前記無線リンク構成のうちの前記少なくとも１つの使用を制限することと
を備える、方法。
［Ｃ２］
前記無線リンク構成のうちの前記少なくとも１つが非制限であることを要求する第２の要求を前記モバイルエンティティから受信し、その後、前記第２の要求に基づいて、前記モバイルエンティティと通信するための前記無線リンク構成のうちの前記少なくとも１つを使用することを備える、Ｃ１に記載の方法。
［Ｃ３］
前記要求が前記使用を制限するための期間を指定し、前記期間が期限切れになるまで、使用の前記制限が実行される、Ｃ１に記載の方法。
［Ｃ４］
前記要求が前記無線リンク構成のうちの前記少なくとも１つの前記使用を制限するための理由を示す、Ｃ１に記載の方法。
［Ｃ５］
前記理由に少なくとも一部基づいて、前記要求に応えるべきかどうかを決定することをさらに備える、Ｃ４に記載の方法。
［Ｃ６］
前記モバイルエンティティの前記要求に応えるかどうかを前記決定することの結果を示すことをさらに備える、Ｃ５に記載の方法。
［Ｃ７］
前記１組の無線リンク構成が、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つもしくは複数を備える、Ｃ１に記載の方法。
［Ｃ８］
前記制限は、前記モバイルエンティティを第１のユーザ機器（ＵＥ）カテゴリから前記第１のＵＥカテゴリよりも低い第２のＵＥカテゴリに制限することである、Ｃ１に記載の方法。
［Ｃ９］
ワイヤレス通信のための装置であって、
モバイルエンティティが１組の無線リンク構成を使用して１つまたは複数の基地局と通信することができることを決定するための手段と、
前記モバイルエンティティから、前記無線リンク構成のうちの少なくとも１つの使用を制限する旨の要求を受信するための手段と、
前記要求に基づいて、前記モバイルエンティティと通信するための前記無線リンク構成のうちの前記少なくとも１つの使用を制限するための手段と
を備える、装置。
［Ｃ１０］
ワイヤレス通信のための装置であって、
モバイルエンティティが１組の無線リンク構成を使用して１つまたは複数の基地局と通信することができることを決定し、
前記モバイルエンティティから、前記無線リンク構成のうちの少なくとも１つの使用を制限する旨の要求を受信し、
前記要求に基づいて、前記モバイルエンティティと通信するための前記無線リンク構成のうちの前記少なくとも１つの使用をレストリクティする
ように構成された少なくとも１つのプロセッサと、
前記少なくとも１つのプロセッサに結合された、データを記憶するためのメモリと
を備える、装置。
［Ｃ１１］
前記少なくとも１つのプロセッサがさらに、前記無線リンク構成のうちの前記少なくとも１つが非制限であることを要求する第２の要求を前記モバイルエンティティから受信し、その後、前記第２の要求に基づいて、前記モバイルエンティティと通信するための前記無線リンク構成のうちの前記少なくとも１つを使用するように構成される、Ｃ１０に記載の装置。
［Ｃ１２］
前記少なくとも１つのプロセッサがさらに、前記使用を制限するための期間を指定し、前記期間が期限切れになるまで、前記使用を制限する前記要求を受信するように構成される、Ｃ１０に記載の装置。
［Ｃ１３］
前記少なくとも１つのプロセッサがさらに、前記無線リンク構成のうちの前記少なくとも１つの前記使用を制限するための理由を示す前記要求を受信するように構成される、Ｃ１０に記載の装置。
［Ｃ１４］
前記少なくとも１つのプロセッサがさらに、前記理由に少なくとも一部基づいて、前記要求に応えるべきかどうかを決定するように構成される、Ｃ１３に記載の装置。
［Ｃ１５］
前記少なくとも１つのプロセッサがさらに、前記モバイルエンティティの前記要求に応えるかどうかを前記決定することの結果を示すように構成される、Ｃ１４に記載の装置。
［Ｃ１６］
前記少なくとも１つのプロセッサがさらに、前記モバイルエンティティが、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つまたは複数を備える前記１組の無線リンク構成を使用することができることを決定するように構成される、Ｃ１０に記載の装置。
［Ｃ１７］
前記少なくとも１つのプロセッサがさらに、前記モバイルエンティティを第１のユーザ機器（ＵＥ）カテゴリから前記第１のＵＥカテゴリよりも低い第２のＵＥカテゴリに制限することを含む前記制限を実行するように構成される、Ｃ１０に記載の装置。
［Ｃ１８］
コンピュータ可読媒体を備えるコンピュータプログラム製品であって、前記コンピュータ可読媒体が、
少なくとも１つのコンピュータに、モバイルエンティティが１組の無線リンク構成を使用して１つまたは複数の基地局と通信することができることを決定させるためのコードと、
前記少なくとも１つのコンピュータに、前記モバイルエンティティから、前記無線リンク構成のうちの少なくとも１つの使用を制限する旨の要求を受信させるためのコードと、
前記少なくとも１つのコンピュータに、前記要求に基づいて、前記モバイルエンティティと通信するための前記無線リンク構成のうちの前記少なくとも１つの使用を制限させるためのコードと
を備える、コンピュータプログラム製品。
［Ｃ１９］
ワイヤレス通信のための方法であって、
１組の無線リンク構成を使用して１つまたは複数の基地局と通信することができるモバイルエンティティで、前記無線リンク構成のうちの少なくとも１つの使用が制限されるべきであることを決定することと、
前記無線リンク構成の要素のうちの前記少なくとも１つの使用を制限する旨の要求を基地局に送ることと、
無線リンクを使用して前記基地局と通信することと、ここにおいて、前記要求に基づいて、前記無線リンク構成のうちの前記少なくとも１つの使用が制限されること
を備える、方法。
［Ｃ２０］
前記無線リンク構成のうちの前記少なくとも１つが非制限であることを要求する第２の要求を前記基地局に送り、その後、前記第２の要求に基づいて、前記モバイルエンティティと通信するための前記無線リンク構成のうちの前記少なくとも１つを使用することをさらに備える、Ｃ１９に記載の方法。
［Ｃ２１］
前記要求に関連して前記使用を制限するための期間を指定し、無線リンクを使用して前記基地局との前記通信を実行することをさらに備え、ここにおいて、前記期間が期限切れになるまで、前記無線リンク構成のうちの前記少なくとも１つの使用が制限される、Ｃ１９に記載の方法。
［Ｃ２２］
前記要求に関連して前記無線リンク構成のうちの前記少なくとも１つの前記使用を制限するための理由を含むことをさらに備える、Ｃ１９に記載の方法。
［Ｃ２３］
前記理由に少なくとも一部基づいて、前記無線リンク構成のうちの少なくとも１つの使用は制限されるべきであることを前記決定することを実行する、Ｃ２２に記載の方法。
［Ｃ２４］
前記基地局が前記要求に応えているかどうかを示す指示を前記基地局から受信することをさらに備える、Ｃ２３に記載の方法。
［Ｃ２５］
前記１組の無線リンク構成が、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つまたは複数を備える、Ｃ１９に記載の方法。
［Ｃ２６］
使用を制限する旨の前記要求が、前記モバイルエンティティを第１のユーザ機器（ＵＥ）カテゴリから前記第１のＵＥカテゴリよりも低い第２のＵＥカテゴリに制限することを含む、Ｃ１９に記載の方法。
［Ｃ２７］
ワイヤレス通信のための装置であって、
１組の無線リンク構成を使用して１つまたは複数の基地局と通信することができるモバイルエンティティで、前記無線リンク構成のうちの少なくとも１つの使用が制限されるべきであることを決定するための手段と、
前記無線リンク構成の要素のうちの前記少なくとも１つの使用を制限する旨の要求を基地局に送るための手段と、
無線リンクを使用して前記基地局と通信するための手段と、ここにおいて、前記要求に基づいて、前記無線リンク構成のうちの前記少なくとも１つの使用が制限されること
を備える、装置。
［Ｃ２８］
ワイヤレス通信のための装置であって、
１組の無線リンク構成を使用して１つまたは複数の基地局と通信することができるモバイルエンティティで、前記無線リンク構成のうちの少なくとも１つの使用が制限されるべきであることを決定し、
前記無線リンク構成の要素のうちの前記少なくとも１つの使用を制限する旨の要求を基地局にセンディし、
無線リンクを使用して前記基地局と通信し、ここにおいて、前記要求に基づいて、前記無線リンク構成のうちの前記少なくとも１つの使用が制限される
ように構成された少なくとも１つのプロセッサと、
前記少なくとも１つのプロセッサに結合された、データを記憶するためのメモリと
を備える、装置。
［Ｃ２９］
前記プロセッサがさらに、前記無線リンク構成のうちの前記少なくとも１つが非制限であることを要求する第２の要求を前記基地局に送り、その後、前記第２の要求に基づいて、前記モバイルエンティティと通信するための前記無線リンク構成のうちの前記少なくとも１つを使用するように構成される、Ｃ２８に記載の装置。
［Ｃ３０］
前記プロセッサがさらに、前記要求に関連して前記使用を制限するための期間を指定し、無線リンクを使用して前記基地局と通信するように構成され、ここにおいて、前記期間が期限切れになるまで、前記無線リンク構成のうちの前記少なくとも１つの使用が制限される、Ｃ２８に記載の装置。
［Ｃ３１］
前記プロセッサがさらに、前記要求に関連して前記無線リンク構成のうちの前記少なくとも１つの前記使用を制限するための理由を含むように構成される、Ｃ２８に記載の装置。
［Ｃ３２］
前記プロセッサがさらに、前記理由に少なくとも一部基づいて、前記無線リンク構成のうちの少なくとも１つの使用は制限されるべきであることを前記決定することを実行するように構成される、Ｃ３１に記載の装置。
［Ｃ３３］
前記プロセッサがさらに、前記基地局が前記要求に応えているかどうかを示す指示を前記基地局から受信するように構成される、Ｃ３２に記載の方装置。
［Ｃ３４］
前記プロセッサがさらに、前記１組の無線リンク構成のうちの少なくとも１つを使用するように構成され、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つまたは複数を備える、Ｃ２８に記載の装置。
［Ｃ３５］
前記プロセッサがさらに、前記モバイルエンティティを第１のユーザ機器（ＵＥ）カテゴリから前記第１のＵＥカテゴリよりも低い第２のＵＥカテゴリに制限することを含む使用を制限する旨の前記要求を送るように構成される、Ｃ２８に記載の装置。
［Ｃ３６］
コンピュータ可読媒体を備えるコンピュータプログラム製品であって、前記コンピュータ可読媒体が、
少なくとも１つのコンピュータに、１組の無線リンク構成を使用して１つまたは複数の基地局と通信することができるモバイルエンティティで、前記無線リンク構成のうちの少なくとも１つの使用が制限されるべきであることを決定させるためのコードと、
前記少なくとも１つのコンピュータに、前記無線リンク構成のうちの前記少なくとも１つの使用を制限する旨の要求を基地局に送らせるためのコードと、
前記少なくとも１つのコンピュータに、無線リンクを使用して前記基地局と通信させ、ここにおいて、前記要求に基づいて、前記無線リンク構成のうちの前記少なくとも１つの使用が制限されるためのコードと
を備える、コンピュータプログラム製品。